(57)【要約】【課題】床材の熱膨張による突き上げを防ぎ、床材端面と壁面の接合が弱く水などがしみ込みにくい幅木を提供すること。【解決手段】壁面下部に設置し、床材と組み合わせてなる幅木において、床材の端部と接する部分に弾性体を設けたこと、前記弾性体の弾性率が１×１０−４Ｎ／ｍ２（１０５ｄｙｎｅ／ｃｍ２）以上１×１０−２Ｎ／ｍ２（１０７ｄｙｎｅ／ｃｍ２）未満であり、厚みが２〜６ｍｍであるとこを特徴とする。、床材と幅木の接合度を保ったまま、床材の端部と接する部分の弾性体により、熱可塑性樹脂の床材であっても、夏場に熱膨張した前記床材が前記幅木の弾性体に食い込み、床材の突き上げを防止することが可能となる。【選択図】  図１
2006152744.tif 000002
【特許請求の範囲】
【請求項１】
壁面下部に設置し、床材と組み合わせてなる幅木において、床材の端部と接する部分に弾性体を設けたことを特徴とする幅木。
【請求項２】
前記弾性体の弾性率が１×１０−４Ｎ／ｍ２（１０５ｄｙｎｅ／ｃｍ２）以上１×１０−２Ｎ／ｍ２（１０７ｄｙｎｅ／ｃｍ２）未満であり、厚みが２〜６ｍｍであるとこを特徴とする請求項１記載の幅木。
【発明の詳細な説明】
【技術分野】
【０００１】
本発明は壁面下部に設置し、床材と組み合わせてなる幅木に関し、特に夏場に熱により熱膨張し易い熱可塑性樹脂や、湿度による収縮を起こしやすい合板など木質系基材を使った床材の突き上げを防止する幅木に関する。
【背景技術】
【０００２】
従来、耐水性の良い床にするためには、床材の裏面に切り込み（溝）を入れて壁に立ち上げて幅木にする方法は知られていたが、床材を壁面に立ち上げると材料の上部の切り口が露出され、意匠的に問題があり（特許文献１）埃も積もりやすかった（特許文献３）。
また、床と壁（壁の近傍）で熱溶接処理を行う溶接幅木が提案されているが、壁面の凹凸や床下地の不陸等によって作業性が悪かった。
【０００３】
さらに、床材の熱膨張による突き上げを防ぐ構造として、下部に弾性を有する不陸調節片を有する幅木の構造も知られていたが床材端面と壁面の接合が弱く水などがしみ込みやすかった（特許文献４）。
【特許文献１】特開２０００−１３６６２４号公報
【特許文献２】実開平０５−１２７７９号公報
【特許文献３】実登第２５９１１０７号公報
【特許文献４】特開平７−１０９８２２号公報
【発明の開示】
【発明が解決しようとする課題】
【０００４】
本発明は前記問題点を解決するためになされたものであり、その課題とするところは、床材の熱膨張による突き上げを防ぎ、床材端面と壁面の接合が弱く水などがしみ込みにくい幅木を提供することにある。
【課題を解決するための手段】
【０００５】
本発明は前記課題を解決するためになされたものであり、その請求項１記載の発明は、壁面下部に設置し、床材と組み合わせてなる幅木において、床材の端部と接する部分に弾性体を設けたことを特徴とする幅木である。
【０００６】
またその請求項２記載の発明は、前記弾性体の弾性率が１×１０−４Ｎ／ｍ２（１０５ｄｙｎｅ／ｃｍ２）以上１×１０−２Ｎ／ｍ２（１０７ｄｙｎｅ／ｃｍ２）未満であり、厚みが２〜６ｍｍであるとこを特徴とする請求項１記載の幅木である。
【発明の効果】
【０００７】
請求項１記載の発明により、床材と幅木の接合度を保ったまま、床材の端部と接する部分の弾性体により、熱可塑性樹脂の床材であっても、夏場に熱膨張した前記床材が前記幅木の弾性体に食い込み、床材の突き上げを防止することが可能となる。また、前記床材を施工する際に前記幅木の弾性体にある程度食い込ませて施工すれば、冬季に床が冷えて前記熱可塑性樹脂を使った床材が縮んでも、床材間に隙間が開くことがない。さらに、床材の不陸にも追従可能となる。
【０００８】
また請求項２記載の発明により、前記弾性体の弾性率と厚みであれば、通常の幅木の厚みよりも薄く、かつ、通常の住宅、店舗の規模において用いられる床材の熱膨張、縮みの幅に対応可能なものとなる。
【発明を実施するための最良の形態】
【０００９】
以下に本発明の幅木を図面に基づき詳細に説明する。
図１に本発明の幅木の一実施例の断面の構造を示す。
幅木１、弾性体２、床材３、床材固定材４、床下地５、壁６である。
【００１０】
本発明による幅木１としては、熱可塑性樹脂製、アルミ製、木製等の幅木が使える。化粧紙や合成樹脂化粧シートを積層して、色を床材３にあわせておくと意匠感が向上する。
【００１１】
本発明における弾性体２としては、弾性率が１０−２Ｎ／ｍ２（１０７ｄｙｎｅ／ｃｍ２）程度のシス−１，４−ポリイソプレン構造を持つ天然ゴムを加硫したり、カーボンブラックを添加したゴム、スチレン−ブタジエンゴム、ブタジエンゴム、イソプレンゴム、ブチルゴム、クロロプレンゴム、エチレン−プロピレンゴム（共重合体）、アクリロノトリル−ブタジンエン（共重合体）、アクリルゴム、フッ素ゴム、シリコーンゴム、他硫化ゴムなどの単体やこれらの混合物が使える。また、高伸長率の弾性を示すゲルやスポンジゴム、ウレタンフォームなどの１０−４Ｎ／ｍ２（１０５ｄｙｎｅ／ｃｍ２）程度の多孔質の見かけ上の高弾性もつかえる。
【００１２】
また、弾性体２の厚みとしては、２〜６ｍｍ程度が望ましい。この範囲であれば通常の幅木の厚みより薄く、見た目が良い。一般に、木粉含有熱可塑性樹脂基材の床材は気温が５℃から４０℃程度変動すると、寸法が０．２％程度変動する。これにより通常の住宅、店舗の規模の床で約３．６ｍｍの寸法変化があるが、壁の両端で吸収するには１．８ｍｍ以上の厚みの弾性体の厚みが望ましい。幅木とは市販の接着剤や両面テープにて貼りつけて設けることができる。
【００１３】
床材３としては、木粉含有熱可塑性樹脂基材に合成樹脂製化粧シートを積層した床材、合板に突板を貼ったり、化粧紙を貼ったりした床材も使える。耐水性を考えると熱可塑性樹脂に木粉を添加した基材に合成樹脂製化粧シートを積層した床材が望ましい。また、木粉含有熱可塑性樹脂基材としては、木粉とポリプロピレン樹脂の異型成形発泡体等が使用可能であり、厚みとしては１．５〜１０ｍｍが施工性等の点で好適である。
【００１４】
床材固定材４としては、床の下地に接着や粘着できれば良い。床材に発泡ウレタンフォーム層を接着した後に両面テープで床下地に粘着しても良い。例えば２〜１０倍発泡のウレタン樹脂製のものなどが使える。市販の両面テープで木粉含有熱可塑性樹脂基材と粘着すれば良い。
【００１５】
床下地５としては、コンクリートスラブ、モルタルなどの無機系、合板、パーティクルボードなどの木質系の床下地材が好適であるが、とくにこれに限定されるものではない。
【００１６】
壁６としては、通常の住宅、店舗に使われる壁である。コンクリートやモルタルの壁面に石膏ボードを貼りつけたり、木材の柱に合板やパーティクルボードを貼りつけた木質系の壁が好適であるが、とくにこれに限定されるものではない。
【実施例１】
【００１７】
厚み０．０７０ｍｍのポリプロピレン樹脂製着色熱可塑性樹脂層（ＲＩＶＥＳＴ  ＴＰＯ  リケンテクノス社製）に絵柄層４として２液ウレタン樹脂系バインダー樹脂製のグラビアインキにて木目柄を印刷し、その上に透明熱可塑性樹脂層として透明ポリプロピレン樹脂を押出しラミネートし、更に、表面に表面保護を設ける前に、乾燥後の塗布量１．３ｇ／ｍ２の２液ウレタン樹脂のリコート層の上に紫外線硬化型塗料を１０ｇ／ｍ２塗布、硬化させた。
【００１８】
次に、ホモポリプロピレン樹脂９０重量部、マレイン酸変性ポリプロピレン樹脂１０重量部に木質系添加剤を４０重量部を２軸押し出し混錬機によって混合、ペレット化して木分混合樹脂ペレットを作製した。この木粉混合樹脂ペレットを異形押し出し成形法にて断面が５ｍｍ×１５７ｍｍサイズで相欠き嵌合部分をもつ幅木形状に押し出した。
【００１９】
次に、この幅木に、弾性体として厚み３ｍｍの床材の色に合わせたエチレン−プロピレンゴム（共重合体）を両面テープで幅木の下部に貼りつけた。
また、その表面に、厚み０．２５ｍｍのを一液湿気硬化型ウレタン樹脂系ホットメルト接着剤にてラッピング法により上記化粧シートを積層した。
【００２０】
以上のようにして得た幅木を、嵌合構造のある木質系熱可塑性樹脂からなる床材を施工した床の壁面に沿って５０ｍｍ立ち上げて端部をカットしてそろえ、両面テープにて貼りつけた。
【００２１】
以上の様に施工した床と壁面のある部屋を０℃と４０℃に保ってそれぞれ丸一日変化をみたが、突き上げや大きな隙間などは発生しなかった。
【図面の簡単な説明】
【００２２】
【図１】本発明の幅木兼用床材の一実施例の断面を示す説明図である。
【符号の説明】
【００２３】
１…幅木
２…弾性体
３…床材
４…床材固定材
５…床下地
６…壁
【図１】
2006152744.tif 000003